(57)【要約】【課題】撮影現場でカット編集をした結果できた完パケ映像をなるべく短時間で転送するとともに、必要に応じて送られた完パケ映像をもとに再編集を行うことができる機構を提供することが目的である。【解決手段】映像編集装置１００は、少なくとも１つの映像データと、前記映像データから映像を切り出し編集する際に用いる編集情報とを入力する入力部１０９と、編集情報に基づき、映像データを編集した編集映像データを生成するレンダリング部１０５と、編集情報を含み、映像データと同一の内容で圧縮率の異なる低解像度映像データと編集映像データとを関連付ける管理情報を生成する管理情報作成部１０７と、編集映像データ、低解像度映像データ、及び管理情報を出力する記録媒体制御部１０８を含む。【選択図】図１
2010287979.tif 000002
【特許請求の範囲】
【請求項１】
少なくとも１つの映像データと、前記映像データから映像を切り出し編集する際に用いる編集情報とを入力する入力部と、
前記編集情報に基づき、前記映像データを編集した編集映像データを生成するレンダリング部と、
前記編集情報を含み、前記映像データと同一の内容で圧縮率の異なる低解像度映像データと前記編集映像データとを関連付ける管理情報を生成する管理情報生成部と、
前記編集映像データ、前記低解像度映像データ、及び前記管理情報を出力する出力部と、
を備える映像編集装置。
【請求項２】
前記入力部は、前記低解像度映像データが入力される
請求項１に記載の映像編集装置。
【請求項３】
前記映像データに基づき、前記低解像度映像データを生成する低解像度生成部を、
さらに備える請求項１に記載の映像編集装置。
【請求項４】
前記レンダリング部は、
前記編集映像データと同一の内容で圧縮率の異なる低解像度編集映像データを生成し、
前記管理情報生成部は、
前記編集映像データと前記低解像度編集映像データと前記低解像度編集映像データとを関連付ける管理情報を生成する
請求項１から３の何れかに記載の映像編集装置。
【請求項５】
少なくとも１つの映像データを編集情報に基づき編集した編集映像データと、前記映像データと同一の内容で圧縮率の異なる低解像度映像データと、前記編集情報を含み前記編集映像データと前記低解像度映像データとを関連付ける管理情報とを入力する入力部と、
編集操作を受け付ける編集部と、
前記編集部で受け付けた編集操作と前記管理情報とを基に、前記編集映像データ又は前記低解像度映像データの該当箇所を読み出し、出力する再生部と、
を備える映像編集装置。
【発明の詳細な説明】
【技術分野】
【０００１】
本発明は、映像を記録、再生、編集する映像編集装置に関する。
【背景技術】
【０００２】
従来、放送局の番組制作は、カメラレコーダを用いてテープに映像を記録し、テープに記録されている映像をＶＴＲでダビングしながら特殊効果などを加えて編集し、編集後の映像、いわゆる完パケをテープに書き戻す、リニア編集と呼ばれる編集方式が採用されていた。近年、テープで撮影した映像をハードディスクに取り込んでファイル化し、パーソナルコンピュータ（ＰＣ）で編集を行うノンリニア編集と呼ばれる編集方式が確立されてきている。ノンリニア編集では、マウスなどを用いて、ＧＵＩ上に表示されている編集のイメージ（編集情報）を作りあげることで、編集作業を行う。編集完了後は、編集情報をもとに編集結果をひとつのファイルに記録（レンダリング）し、完パケを作成する。
【０００３】
ノンリニア編集を行う機材（ノンリニア編集機）を撮影現場に持ち込んで、映像のうち必要とする部分の切り出しのみを行う編集、いわゆるカット編集を行い、放送局に戻ってから、特殊効果などを付加して編集を完成させるワークフローも運用されてきている。また、近年のネットワークインフラの整備に伴い、ファイル化された映像データをＦＴＰ（Ｆｉｌｅ  Ｔｒａｎｓｆｅｒ  Ｐｒｏｔｏｃｏｌ  ＲＦＣ９５９）などのネットワークプロトコルを用いて、撮影現場から放送局に送ることも可能になってきている。送られたファイルを受け取った放送局側では、現場のスタッフが戻る前に、局のスタッフが、シナリオを書いたり、映像効果を付加したりできるため、待ち時間がなくなり作業の効率化を図ることができる。
【０００４】
しかしながら、ネットワークインフラが整備されてきたとはいえ、撮影した映像をすべて送ることはまだ非現実的であり、ネットワークの転送時間を削減するための対策が必要である。特許文献１では、高解像度映像を管理するサーバと、ダウンロードを受けて当該映像を編集するクライアントとからなるシステムにおいて、サーバは自己の管理する高解像度映像を低解像度映像に変えてダウンロードし、クライアントは低解像度映像にもとづいて編集を行なうことで、ネットワークに流れるデータ量を減らして、ダウンロードに要する時間を短縮する方法が開示されている。この発明の応用として、現場から放送局へ映像を転送するときに映像の解像度を落として、つまりビットレートを下げて転送することで、転送時間を短縮することができる。
【先行技術文献】
【特許文献】
【０００５】
【特許文献１】特開２００１−４５２７９号公報
【発明の概要】
【発明が解決しようとする課題】
【０００６】
しかしながら、低解像度映像は、編集情報を作成する際には使用することができるが、そのまま送出などの用途に使用することはできない。
【０００７】
本発明は、そのまま送出できる画質の映像を作成するだけでなく、必要に応じて編集した映像データの再編集を行うことができる映像編集装置を提供することを目的とする。
【課題を解決するための手段】
【０００８】
本発明の映像編集装置は、少なくとも１つの映像データと、前記映像データから映像を切り出し編集する際に用いる編集情報とを入力する入力部と、前記編集情報に基づき、前記映像データを編集した編集映像データを生成するレンダリング部と、前記編集情報を含み、前記映像データと同一の内容で圧縮率の異なる低解像度映像データと前記編集映像データとを関連付ける管理情報を生成する管理情報生成部と、前記編集映像データ、前記低解像度映像データ、及び前記管理情報を出力する出力部と、を備える。
【発明の効果】
【０００９】
本発明は、上記の構成により、送出可能な編集した映像データを作成するとともに、編集後の映像データの再編集を行うことができる。
【図面の簡単な説明】
【００１０】
【図１】本発明の一実施の形態における映像編集装置の構成を示すブロック図
【図２】本発明の一実施の形態におけるレンダリング部の構成を示すブロック図
【図３】本発明の一実施の形態における参照先低解像度映像記録部の構成を示すブロック図
【図４】本発明の一実施の形態におけるクリップのディレクトリ構成を示す図
【図５】本発明の一実施の形態におけるクリップの管理情報ファイルを示す図
【図６】本発明の一実施の形態における映像編集装置の動作を示すフローチャート
【図７】本発明の一実施の形態における編集情報を示す図
【図８】本発明の一実施の形態における編集済クリップの管理情報ファイルを示す図
【図９】本発明の一実施の形態における編集済クリップのディレクトリ構成を示す図
【図１０】本発明の他の実施の形態における映像編集装置の構成を示すブロック図
【図１１】本発明の他の実施の形態における映像編集装置の動作を示すフローチャート
【図１２】本発明の他の実施の形態における編集情報を示す図
【発明を実施するための形態】
【００１１】
以下、一実施の形態について、図面を用いて詳細に説明する。
【００１２】
（実施の形態１）
（１．構成）
（１−１．映像編集装置の構成）
本実施の形態１における映像編集装置１００の構成を図１に示す。映像編集装置１００は、完パケ作成部１０２と、入力部１０９と、記録媒体制御部１０８を含む。
【００１３】
入力部１０９は、編集情報１０１が入力される入力部である。入力部１０９は、ファイル形式の編集情報１０１が入力される。
【００１４】
完パケ作成部１０２は、入力された編集情報１０１に基づいて、記録媒体１０３に格納された映像データを読み出し、レンダリング処理を行う。完パケ作成部１０２は、編集した映像データの管理情報を作成し、編集後の映像データとともに、記録媒体１０４に格納する。
【００１５】
完パケ作成部１０２は、レンダリング部１０５と、参照先低解像度映像記録部１０６と、管理情報作成部１０７を含む。レンダリング部１０５は、記録媒体制御部１０８を介して、記録媒体１０３に記録された高解像度映像データを読み出し、高解像度映像データのレンダリング処理を行う。参照先低解像度映像記録部１０６は、低解像度映像データを、記録媒体１０４に記録する。管理情報作成部１０７は、記録媒体１０４に記録した映像データの管理情報を生成する。管理情報の詳細については、後述する。
【００１６】
記録媒体制御部１０８は、記録媒体１０３及び記録媒体１０４からのデータの読み出し及びデータの書き込みを制御する制御部である。
【００１７】
記録媒体１０３及び記録媒体１０４は、映像データが記録される記録媒体であり、半導体メモリカード、ハードディスク、ＤＶＤ（Ｄｉｇｉｔａｌ  Ｖｅｒｓａｔｉｌｅ  Ｄｉｓｃ）や、ＢＤ（Ｂｌｕ−ｒａｙ  Ｄｉｓｃ）等である。記録媒体１０３及び記録媒体１０４は、映像編集装置１００に内蔵されていてもよいし、着脱可能であってもよい。
【００１８】
図２にレンダリング部１０５の詳細を示す。レンダリング部１０５は、ファイル読み出し部２０１と、デコード部２０２と、エンコード部２０３と、ファイル書き出し部２０４を含む。ファイル読み出し部２０１は、記録媒体制御部１０８を介して、記録媒体１０３上の高解像度映像ファイル２０５を読み出し、編集情報１０１を基に、高解像度映像ファイル２０５から必要な映像を抽出する。デコード部２０２は、ファイル読み出し部２０１で読み出した高解像度映像ファイル２０５を復号化（デコード）する。エンコード部２０３は、デコードした映像を符号化（エンコード）する。エンコード部２０３は、もとの高解像度映像データと同一の解像度の映像データを生成する。エンコード部２０３は、もとの映像データと同一の解像度の映像データに加え、圧縮率を高めた低解像度映像データを併せて作成してもよい。ファイル書き出し部２０４は、作成した高解像度映像データをファイル形式とした編集済高解像度映像ファイル２０６を生成し、記録媒体制御部１０８を介して、記録媒体１０４に記録する。ファイル書き出し部２０４は、エンコード部２０３で低解像度映像データを作成した場合には、低解像度映像データをファイル形式とした編集済低解像度映像ファイル２０７を生成し、記録媒体制御部１０８を介して、記録媒体１０４に記録する。
【００１９】
図３に参照先低解像度映像記録部１０６の詳細を示す。参照先低解像度映像記録部１０６は、ファイル読み出し部３０１と、解像度変換部３０２と、ファイル書き出し部３０３を含む。ファイル読み出し部３０１は、記録媒体制御部１０８を介して、記録媒体１０３上の映像データを読み出す。ファイル読み出し部３０１は、記録媒体制御部１０８を介して、記録媒体１０３上に高解像度映像ファイル２０５に対応する低解像度映像ファイル３０４が存在するか否かを確認する。ファイル読み出し部３０１は、低解像度映像ファイル３０４が存在する場合には、そのファイルを読み出し、低解像度映像ファイル３０４が存在しない場合には、高解像度映像ファイル２０５を読み出す。解像度変換部３０２は、ファイル読み出し部３０１で読み出した映像データが低解像度映像ファイル３０４の場合には、処理を行わず、そのファイルを出力する。解像度変換部３０２は、ファイル読み出し部３０１で読み出した映像データが高解像度映像ファイル２０５の場合には、高解像度映像ファイルを構成する映像データの圧縮率を変換し、より圧縮率の高い低解像度の映像データを作成し、ファイル形式で出力する。ファイル書き出し部３０３は、解像度変換部３０２が出力するファイルを、低解像度映像ファイル３０５として、記録媒体制御部１０８を介して、記録媒体１０４に記録する。
【００２０】
（１−２．記録媒体上のデータの構造）
記録媒体１０３及び記録媒体１０４上に格納されたデータの構造について説明する。映像にメタデータなどが関連付けられて記録されている一塊のデータをクリップという。クリップは、撮影テープをノンリニア編集機でデジタイズした際などに作成される。
【００２１】
図４に３クリップ（ＣｌｉｐＡ、ＣｌｉｐＢ、ＣｌｉｐＣ）が１つの記録媒体上に記録されているときのディレクトリ構成を示す。クリップは、管理情報（ＸＭＬファイル）と高解像度映像（拡張子がｈｉｇｈ）、低解像度映像（拡張子がｌｏｗ）で構成され、それらのファイルはＣｌｉｐｓディレクトリの下に配置される。高解像度映像は高ビットレート、低解像度映像は低ビットレートで映像圧縮されている。本実施の形態１では符号化の方式は特に問わない。同一のクリップを構成するファイルは同一のファイル名を持ち、拡張子だけが異なる。たとえば、クリップ名がＣｌｉｐＡのクリップは、ＣｌｉｐＡ．ｘｍｌ（管理情報）、ＣｌｉｐＡ．ｈｉｇｈ（高解像度映像）及びＣｌｉｐＡ．ｌｏｗ（低解像度映像）で構成される。
【００２２】
なお、本実施の形態１では、高解像度映像と、それに対応する低解像度映像が存在する場合について説明するが、高解像度映像のみが存在し、低解像度映像が存在しない形態であってもよい。
【００２３】
図５にＣｌｉｐＡの管理情報であるＣｌｉｐＡ．ｘｍｌを図示する。このファイルはＸＭＬ形式のファイルである。ルート要素はＣｌｉｐＣｏｎｔｅｎｔであり、このファイルがクリップの管理情報であることを示している。Ｎａｍｅ属性はクリップの名前を示しており、Ｄｕｒａｔｉｏｎ属性はクリップの長さ（フレーム数）を表している。Ｖｉｄｅｏ要素は、高解像度映像に関する情報であり、ＢｉｔＲａｔｅ属性は高解像度映像のビットレートを表している。Ｐｒｏｘｙ要素は、低解像度映像に関する情報であり、ＢｉｔＲａｔｅ属性は低解像度映像のビットレートを表している。図２は１００Ｍｂｉｔｓ／ｓｅｃｏｎｄの高解像度映像と１Ｍｂｉｔｓ／ｓｅｃｏｎｄの低解像度映像が格納されていることを示している。
【００２４】
なお、本実施の形態１では、管理情報がＸＭＬ形式のファイルである形態について説明するが、管理情報はＸＭＬ形式に限らず、他の形式であってもよい。
【００２５】
（１−３．本発明の構成との対応関係）
映像編集装置１００は、本発明の映像編集装置の一例である。入力部１０９、ファイル読み出し部２０１及び記録媒体制御部１０８からなる構成は、本発明の入力部の一例である。レンダリング部１０５は、本発明のレンダリング部の一例である。管理情報作成部１０７は、本発明の管理情報生成部の一例である。レンダリング部１０５、参照先低解像度映像記録部１０６、管理情報作成部１０７及び記録媒体制御部１０８からなる構成は、本発明の出力部の一例である。解像度変換部３０２は、本発明の低解像度生成部の一例である。
【００２６】
（２．動作）
（２−１．映像編集装置の動作）
映像編集装置１００の動作について、図６のフローチャートを用いて説明する。編集者は、映像編集装置１００の入力部１０９に、編集情報１０１を入力する（ステップ６０１）。完パケ作成部１０２のレンダリング部１０５は、編集情報１０１に記載されている編集対象となる高解像度映像ファイル２０５を、記録媒体制御部１０８を介して、記録媒体１０３より読み出す（ステップ６０２）。
【００２７】
なお、本実施の形態１では、映像編集装置１００は、編集対象となる高解像度映像ファイル２０５を記録媒体１０３から読み出す形態について説明するが、例えば編集情報１０１とともに高解像度映像ファイル２０５が、入力部１０９に入力される形態であってもよい。
【００２８】
レンダリング部１０５が行うレンダリング処理の詳細について、図７を用いて説明する。図７において、編集情報１０１は、３クリップ（ＣｌｉｐＡ、ＣｌｉｐＢ、ＣｌｉｐＣ）の必要な部分を組み合わせて、映像の編集を行う例について示す。編集情報は、クリップのどの部分を組み合わせて編集しているのかを時系列に並べた情報で、イベントで構成される。イベントとは、参照しているクリップと、そのクリップの使用開始位置と使用部分の長さを管理しているものである。イベント７０１はＣｌｉｐＡの１６フレーム目から３０フレーム分、イベント７０２はＣｌｉｐＢの１１フレーム目から４０フレーム分、イベント７０３はＣｌｉｐＣの６フレーム目から２０フレーム分を使用していることを表している。これら３つのイベントであるイベント７０１、イベント７０２及びイベント７０３を時系列に並べたものが編集情報である。
【００２９】
ファイル読み出し部２０１は、編集情報１０１のイベント７０１よりＣｌｉｐＡの１６フレーム目から読み出しを開始すれば良いことがわかるので、ＣｌｉｐＡの高解像度映像ファイル２０５（ＣｌｉｐＡ．ｈｉｇｈ）の１６フレーム目の位置にシークし、データを読み始める。デコード部２０２は、符号化されている高解像度映像を復号化（デコード）する。エンコード部２０３は、デコード部２０２でデコードした映像を符号化（エンコード）する。ファイル書き出し部２０４は、エンコードしたデータを編集済高解像度映像ファイル２０６に書き込む。これら４つの処理をＣｌｉｐＡに関して３０フレーム分繰り返し、その次にＣｌｉｐＢの１１フレーム目から４０フレーム分、ＣｌｉｐＣの６フレーム目から２０フレーム分繰り返す。たとえば、作成されるクリップの名前をＣｌｉｐＤとすると、ファイル書き出し部２０４はエンコードしたデータの９０（＝３０＋４０＋２０）フレーム分をＣｌｉｐＤ．ｈｉｇｈに書き込む。このようにして、レンダリング部１０５は、編集済高解像度映像ファイル２０６を作成する（ステップ６０３）。
【００３０】
レンダリング部１０５は、編集済高解像度映像ファイル２０６の作成と同時に、編集済低解像度映像ファイル２０７を作成する。ファイル読み出し部２０１及びデコード部２０２の動作は、編集済高解像度映像ファイル２０６の作成と同様である。エンコード部２０３は、より圧縮率を高めた符号化を行い、ファイル書き出し部２０４に出力する。ファイル書き出し部２０４は、エンコードしたデータを、編集済低解像度映像ファイル２０７として、ＣｌｉｐＤ．ｌｏｗに書き込む（ステップＳ６０３）。
【００３１】
なお、本実施の形態１では、映像編集装置１００は、編集済高解像度映像ファイル２０６とともに編集済低解像度ファイル２０７を作成する形態について説明するが、編集済低解像度ファイル２０７を作成しない形態であってもよい。
【００３２】
映像編集装置１００の参照先低解像度映像記録部１０６は、記録媒体１０４に低解像度映像ファイル３０５を記録する（ステップ６０４）。編集情報１０１は、ＣｌｉｐＡ、ＣｌｉｐＢ及びＣｌｉｐＣを参照しているので、この３つのクリップの低解像度映像をコピーする。記録媒体１０３に格納されているＣｌｉｐＡの低解像度映像ファイル（ＣｌｉｐＡ．ｌｏｗ）は、ファイル読み出し部３０１で読み出され、ファイル書き込み部３０３で、記録媒体制御部１０８を介して、記録媒体１０４に低解像度映像ファイル３０４と同一のファイル名の低解像度映像ファイル３０５（ＣｌｉｐＡ．ｌｏｗ）として、書き出される。ＣｌｉｐＢ、ＣｌｉｐＣに関しても同様に、ＣｌｉｐＢ．ｌｏｗ、ＣｌｉｐＣ．ｌｏｗファイルがコピーされる。
【００３３】
本実施の形態１では、記録媒体１０３に低解像度映像ファイル３０４が存在する場合について説明したが、低解像度映像ファイル３０４が存在しない場合には、ファイル読み出し部３０１で読み出された高解像度映像ファイル２０５は、解像度変換部３０２で圧縮率の変換が行なわれ、より圧縮率の高い低解像度の映像データが作成され、ファイル書き出し部３０３により記録媒体１０４に低解像度映像ファイル３０４の形で書き出される。
【００３４】
映像編集装置１００の管理情報作成部１０７は、記録媒体１０４に記録した編集済高解像度映像ファイル２０６、編集済低解像度映像ファイル２０７、及び低解像度映像ファイル３０５に関する管理情報を生成し、記録媒体１０４に記録媒体制御部１０８を介して、記録する（ステップ６０５）。管理情報作成部１０７が生成する管理情報の構造を図８に示す。管理情報作成部１０７は、管理情報としてＸＭＬファイル８０１を作成する。図５のＸＭＬファイルと同様に、ＣｌｉｐＣｏｎｔｅｎｔ要素以下に情報が書かれる。Ｎａｍｅ属性、Ｄｕｒａｔｉｏｎ属性、Ｖｉｄｅｏ要素、Ｐｒｏｘｙ要素は前述の説明の通り、それぞれクリップの名前、長さ、高解像度映像の情報、低解像度映像の情報を表す。管理情報作成部１０７は、これ以外の情報として図７に示す編集情報を記載するために、Ｅｄｉｔ要素を追加する。Ｅｄｉｔ要素は、１または複数のＥｖｅｎｔ要素を持ち、Ｅｖｅｎｔ要素には図７で説明したイベントに相当する情報を記載する。Ｃｌｉｐ属性は、参照しているクリップを示し、Ｏｆｆｓｅｔ属性は参照しているクリップの使用開始位置を表し、Ｄｕｒａｔｉｏｎ属性は使用している長さ（フレーム数）を表す。図８のＥｖｅｎｔ要素は、上から図７のイベント７０１（ＣｌｉｐＡの１６から３０フレーム分の区間を参照）、イベント７０２（ＣｌｉｐＢの１１から４０フレーム分の区間を参照）及びイベント７０３（ＣｌｉｐＣの６から２０フレーム分の区間を参照）に対応しており、このクリップがイベント７０１、イベント７０２及びイベント７０３から作成されたことを表すとともに、ＣｌｉｐＡ、ＣｌｉｐＢ及びＣｌｉｐＣの低解像度映像を保持していることを表す。
【００３５】
作成されたクリップ（ＣｌｉｐＤ）のディレクトリ構成を図９に示す。クリップの管理情報（ＣｌｉｐＤ．ｘｍｌ）、高解像度映像（ＣｌｉｐＤ．ｈｉｇｈ）、低解像度映像（ＣｌｉｐＤ．ｌｏｗ）は図４と同様に、Ｃｌｉｐｓディレクトリ以下に格納される。各イベントの低解像度映像はＣｌｉｐＤディレクトリ以下に参照先のクリップの低解像度映像と同じファイル名（ＣｌｉｐＡ．ｌｏｗ、ＣｌｉｐＢ．ｌｏｗ、ＣｌｉｐＣ．ｌｏｗ）で格納される。
【００３６】
なお、本実施の形態１では、レンダリングクリップの低解像度映像ファイル３０５は参照先クリップの低解像度映像ファイル３０４と同じ長さを持つ形態について説明したが、参照先クリップの使用区間を含む一部の映像であっても良い。
【００３７】
なお、本実施の形態１では、高解像度映像を圧縮データとしたが非圧縮データでも良い。また、高解像度映像のビットレートを１００Ｍｂｉｔｓ／ｓｅｃｏｎｄ、低解像度映像のビットレートを１Ｍｂｉｔｓ／ｓｅｃｏｎｄ、としたが、ビットレートは問わない。
【００３８】
以上のように、本実施の形態１の映像編集装置１００は、編集済高解像度映像ファイルの管理情報中に、編集情報のみならず、編集前の低解像度映像ファイルを含み、その低解像度映像ファイルも併せて出力することにより、送出可能な編集をした高解像度映像ファイルを作成するとともに、編集後の高解像度映像ファイルを再編集する際には、編集により削除した部分に関して、低解像度映像ファイルを参照することができ、再編集を行うことができる。
【００３９】
（実施の形態２）
（３．構成）
（３−１．映像編集装置の構成）
実施の形態２では、実施の形態１で説明した編集済高解像度映像ファイル２０６、低解像度映像ファイル３０５及び管理情報８０１が記録媒体１０４に記録されており、その映像データを編集する映像編集装置１０００について説明する。本実施の形態２における映像編集装置１０００の構成を図１０に示す。映像編集装置１０００は、編集情報解釈部１００１と、編集部１００２と、再生部１００３と、記録媒体制御部１００７を含む。映像編集装置１０００は、外部のモニター１００８に、映像データを出力する。なお、本実施の形態２では、モニター１００８を外部に設ける形態について説明するが、モニター１００８は映像編集装置１０００と一体であってもよい。
【００４０】
編集情報解釈部１００１は、記録媒体制御部１００７を介して、記録媒体１０４上に記録されたクリップの管理情報を読み出し、管理情報中の編集情報１０１を抽出する。編集部１００２は、再編集を行うにあたって、編集者の編集操作に応じて、編集情報１０１を変更する。再生部１００３は、記録媒体制御部１００７を介して、ファイルを読み出し、読み出した映像データをデコードし、モニター１００８に映像データを出力する。再生部１００３は、ファイル読み出し部１００４と、デコード部１００５と、出画部１００６を含む。記録媒体制御部１００７は、記録媒体１０４からのデータの読み出し及びデータの書き込みを制御する制御部である。
【００４１】
（３−２．本発明の構成との対応関係）
映像編集装置１０００は、本発明の映像編集装置の一例である。編集情報解釈部１００１、ファイル読み出し部１００４及び記録媒体制御部１００７からなる構成は、本発明の入力部の一例である。編集部１００２は、本発明の編集部の一例である。再生部１００３は、本発明の再生部の一例である。
【００４２】
（４．動作）
（４−１．映像編集装置の動作）
本実施の形態２における映像編集装置１０００の動作について説明する。まず、記録媒体１０４に記録された映像データを再編集することなく、再生する場合の動作について説明する。映像編集装置１０００は、再生部１００３にて、記録媒体１０４に記録されている編集済高解像度映像ファイル２０６（ＣｌｉｐＤ．ｈｉｇｈ）をファイル読み出し部１００４で読み込み、デコード部１００５にて符号化されているデータをデコードし、デコードした映像データを出画部１００６にてモニター１００８に表示する。
【００４３】
次に、映像編集装置１０００を用いて、編集済高解像度映像ファイル２０６（クリップＣｌｉｐＤ）を再編集した後、再生する動作について説明する。編集情報解釈部１００１は、記録媒体制御部１００７を介して記録媒体１０４上のクリップの管理情報８０１（ＣｌｉｐＤ．ｘｍｌ）を読み出し、管理情報８０１上のＥｄｉｔ要素以下を読み取り、図７のイベント７０１、イベント７０２及びイベント７０３の３イベントから構成されている編集情報１０１を復元する。編集者は、編集部１００２を用いて、その編集情報１０１を基に、参照位置の変更、イベントの入れ替えなどの映像編集を行う。図１２にイベント７０１とイベント７０２の境界を５フレーム前にずらし、イベント１２０１（ＣｌｉｐＡの１６から２５フレーム分の区間を参照）、イベント１２０２（ＣｌｉｐＢの６から４５フレーム分の区間を参照）、イベント１２０３となった編集情報を示す。
【００４４】
映像編集装置１０００が、図１２のように編集された映像をモニター１００８に出力する動作を、図１１のフローチャートを用いて説明する。
【００４５】
映像編集装置１０００は、フレーム数初期化処理として、フレーム数を１に設定する（ステップ１１０１）。映像編集装置１０００は、参照先特定処理として、編集情報の１フレーム目の参照先である「ＣｌｉｐＡの１６フレーム目」という情報を特定する（ステップ１１０２）。映像編集装置１０００は、「ＣｌｉｐＡの１６フレーム目」に相当するフレームが、編集済高解像度映像ファイル２０６（ＣｌｉｐＤ．ｈｉｇｈ）に保持されているか判断する（ステップ１１０３）。ＣｌｉｐＤの管理情報８０１（ＣｌｉｐＤ．ｘｍｌ）のＥｄｉｔ要素より「ＣｌｉｐＡの１６フレーム目」に相当するフレームは編集済高解像度映像ファイル２０６（ＣｌｉｐＤ．ｈｉｇｈ）の１フレーム目であることがわかるため、高解像度映像を保持していると判定する。
【００４６】
ファイル読み出し部１００４は、編集済高解像度映像ファイル２０６（ＣｌｉｐＤ．ｈｉｇｈ）の１フレーム目のデータを読み込む（ステップ１１０４）。デコード部１００５は、読み込んだ高解像度映像データのデコードを行い（ステップ１１０５）、デコードした画像をモニター１００８に出力する（ステップ１１０６）。映像編集装置１０００は、再生位置が編集情報１０１の末尾に来ているかを判断する（ステップ１１０７）。映像編集装置１０００は、編集情報１０１の全長が９０フレームであるため、フレーム数が１の時は末尾でないと判断する。映像編集装置１０００は、フレーム数インクリメント処理として、フレーム数を１から２へインクリメントする（ステップ１１０８）。映像編集装置１０００は、参照先特定処理（ステップ１１０２）からフレーム数インクリメント処理（ステップ１１０８）までの処理を１フレーム目から２５フレームまで繰り返す。
【００４７】
高解像度映像が存在しない場合の再生を、２６フレーム目の出画を例に説明する。映像編集装置１０００は、参照先特定処理において、２６フレーム目の参照先である「ＣｌｉｐＢの６フレーム目」という情報を特定する（ステップ１１０２）。映像編集装置１０００は、高解像度映像保持判断において、ＣｌｉｐＤの管理情報８０１（ＣｌｉｐＤ．ｘｍｌ）のＥｄｉｔ要素から、ＣｌｉｐＤはＣｌｉｐＢの１１フレーム目から５０フレーム目までを参照しており、６フレーム目は参照していないことを求め、編集済高解像度映像ファイル２０６（ＣｌｉｐＤ．ｈｉｇｈ）に該当する映像がないと判断する（ステップ１１０３）。ファイル読み出し部１１０４は、「ＣｌｉｐＢの６フレーム目」という情報より、ＣｌｉｐＢの低解像度映像ファイル３０５（ＣｌｉｐＢ．ｌｏｗ）の６フレーム目に該当するデータを読み込む（ステップ１１０９）。デコード部１１０５は、読み出した低解像度映像データをデコードし（ステップ１１０５）、デコードした映像をモニター１００８に出力する（ステップ１１０６）。映像編集装置１０００は、この参照先特定処理１１０２からフレーム数インクリメント処理１１０８までの処理を２６フレーム目から３０フレーム目までの５フレーム分繰り返す。したがって、映像編集装置１０００は、２６フレーム目から３０フレーム目までの５フレームについては低解像度の映像を出力し、それ以外は高解像度の映像を出力する。このように、映像編集装置１０００は、レンダリング映像の再編集を、映像を確認しながら、行うことができる。
【００４８】
なお、本実施の形態２では、カット編集を例に説明したが、モザイクや、トランジションなどの映像の特殊効果が施されている場合もクリップの管理情報８０１に特殊効果の映像を追加することで同様の処理を行うことができる。
【００４９】
なお、再生部１００３は、編集済高解像度映像ファイル２０６と低解像度映像ファイル３０５を組み合わせて再生する形態について説明したが、画質を要求しない場合には、低解像度映像ファイル３０５のみを使用して映像を再生しても良い。
【００５０】
なお、本実施の形態１及び２では、クリップの読み書きを記録媒体からするとしたが、ＦＴＰなどを用いて、ネットワーク上のクリップを読み込み、ネットワーク上に書き出す構成であっても構わない。
【産業上の利用可能性】
【００５１】
高速に映像を転送するとともに転送先で編集を行う映像編集装置として有用である。
【符号の説明】
【００５２】
１００、１０００  映像編集装置
１０２  完パケ作成部
１０３、１０４  記録媒体
１０５  レンダリング部
１０６  参照先低解像度映像記録部
１０７  管理情報作成部
１０８、１００７  記録媒体制御部
２０１、３０１、１００４  ファイル読み出し部
２０２、１００５  デコード部
２０３  エンコード部
２０４、３０３  ファイル書き出し部
３０２  解像度変換部
１００１  編集情報解釈部
１００２  編集部
１００３  再生部
１００６  出画部
１００８  モニター
【図１】
2010287979.tif 000003
【図２】
2010287979.tif 000004
【図３】
2010287979.tif 000005
【図４】
2010287979.tif 000006
【図５】
2010287979.tif 000007
【図６】
2010287979.tif 000008
【図７】
2010287979.tif 000009
【図８】
2010287979.tif 000010
【図９】
2010287979.tif 000011
【図１０】
2010287979.tif 000012
【図１１】
2010287979.tif 000013
【図１２】
2010287979.tif 000014